(57)【要約】【課題】専用の洗浄装置を用いることなく、水洗い後のシェーバを乾燥できるようにする。【解決手段】モータ５の電源に燃料電池１１を用いることで、電源配線の制約が無くなり、保管場所の選択範囲を拡げることができるシェーバ１であって、その燃料電池１１の発電による排熱をヒートパイプ１２によって内刃６の近傍まで導き、その内刃６を加熱する熱源として使用する。したがって、専用の洗浄装置を用いることなく、水洗い後の乾燥を促進することができ、また刃６，７の加熱殺菌を行うことができるとともに、燃料電池１１のエネルギー利用効率を高めることができる。【選択図】図１
2008023024.tif 000002
【特許請求の範囲】
【請求項１】
電力付勢される駆動手段が刃を変位駆動することで除毛処理を行うシェーバにおいて、
前記駆動手段を前記電力付勢するための電力を発生する燃料電池と、
前記燃料電池による排熱を前記刃の近傍に導く伝熱手段とを含むことを特徴とするシェーバ。
【請求項２】
前記燃料電池によって発生された電力を貯蔵する電力貯蔵手段と、
前記燃料電池に燃料を供給する供給手段と、
前記電力貯蔵手段に駆動手段を電力付勢させて前記除毛処理を行わせ、該除毛処理の終了後に前記供給手段に燃料電池へ燃料を供給させ、発電された電力を前記電力貯蔵手段に貯蔵させる制御手段とをさらに備えることを特徴とする請求項１記載のシェーバ。
【請求項３】
前記駆動手段によって駆動される刃は内刃であり、該内刃が、外刃、ケーシングおよび基台から成る空間に内包され、前記伝熱手段は前記基台に接続されることを特徴とする請求項１または２記載のシェーバ。
【請求項４】
前記伝熱手段は、送風機であり、刃を加熱するための送風機と、前記燃料電池の発電部における放熱用の送風機との機能を併せ持つことを特徴とする請求項１〜３のいずれか１項に記載のシェーバ。
【発明の詳細な説明】
【技術分野】
【０００１】
本発明は、電気カミソリやトリマーなどとして実現されるシェーバに関し、特に刃先に付着した体毛や皮膚組織を水洗いできるようにした構成で好適に実施されるものに関する。
【背景技術】
【０００２】
上記のような水洗い可能なシェーバの典型的な従来技術は、たとえば本件出願人によって、特許文献１で提案されている。その従来技術では、髭剃り時には速く、水洗い時には遅く、内刃を駆動することで、水洗い時に水や切り屑が飛び散らないようにしたシェーバが提案されている。しかしながら、水洗い後に水滴が内部に残り、殺菌や滅菌が充分とは言えない。
【０００３】
そこで、たとえば特許文献２や特許文献３では、使用後に刃先をアルコール洗浄し、その後に乾燥まで行うようにした洗浄装置が提案されている。このような洗浄装置を用いると、高温で乾燥が行われ、刃先を清潔に保つことができる。
【特許文献１】特開２００４−１６２８５号公報
【特許文献２】特許第３６５２３９３号公報
【特許文献３】特開２００４−２４３１１２号公報
【発明の開示】
【発明が解決しようとする課題】
【０００４】
前記特許文献２や特許文献３の従来技術では、刃先を清潔に保つことができるものの、大型の洗浄装置が併せて必要になり、置き場所や電源（コンセント）を考慮しなければならないという問題がある。
【０００５】
本発明の目的は、刃先を簡単に清潔に保つことができるシェーバを提供することである。
【課題を解決するための手段】
【０００６】
本発明のシェーバは、電力付勢される駆動手段が刃を変位駆動することで除毛処理を行うシェーバにおいて、前記駆動手段を前記電力付勢するための電力を発生する燃料電池と、前記燃料電池による排熱を前記刃の近傍に導く伝熱手段とを含むことを特徴とする。
【０００７】
上記の構成によれば、電気カミソリやトリマーなどとして実現されるシェーバにおいて、そのシェーバの電源に燃料電池を用い、その発電による排熱を伝熱手段によって刃の近傍まで導き、その刃を加熱する熱源として使用する。
【０００８】
したがって、燃料電池駆動によって電源配線の制約が無くなり、保管場所の選択範囲を拡げることができるシェーバに、その燃料電池による排熱を刃近傍まで伝えることで、専用の洗浄装置などを用いることなく、水洗い後の乾燥を促進することができ、また刃の加熱殺菌を行うことができるとともに、燃料電池のエネルギー利用効率を高めることができる。
【０００９】
また、本発明のシェーバは、前記燃料電池によって発生された電力を貯蔵する電力貯蔵手段と、前記燃料電池に燃料を供給する供給手段と、前記電力貯蔵手段に駆動手段を電力付勢させて前記除毛処理を行わせ、該除毛処理の終了後に前記供給手段に燃料電池へ燃料を供給させ、発電された電力を前記電力貯蔵手段に貯蔵させる制御手段とをさらに備えることを特徴とする。
【００１０】
上記の構成によれば、二次電池などの電力貯蔵手段をさらに備え、その電力貯蔵手段からの電力で前記駆動手段を電力付勢させて前記除毛処理を行わせるようにし、その除毛処理の終了後に、制御手段が供給手段に前記燃料電池へ燃料を供給させ、発電された電力を前記電力貯蔵手段に貯蔵させる。
【００１１】
したがって、前記除毛処理の終了後に発電が行われ、すなわち熱が発生することになり、前記水洗い後の乾燥や刃の加熱殺菌に好適である。
【００１２】
さらにまた、本発明のシェーバでは、前記駆動手段によって駆動される刃は内刃であり、該内刃が、外刃、ケーシングおよび基台から成る空間に内包され、前記伝熱手段は前記基台に接続されることを特徴とする。
【００１３】
上記の構成によれば、基台が熱せられることで、外刃、ケーシングおよび該基台で囲まれた空間内に熱気が篭り、その熱気で外刃および内刃の前記乾燥や殺菌を行うことができる。
【００１４】
したがって、前記伝熱手段を汚れの溜る内刃や外刃、特に変位駆動される内刃に直接接続して加熱しなくても、これらの乾燥や殺菌を行うことができる。
【００１５】
好ましくは、本発明のシェーバでは、前記伝熱手段は、ヒートパイプであることを特徴とする。
【００１６】
上記の構成によれば、燃料電池での排熱を効率良く刃へ導くことができる。
【００１７】
また、本発明のシェーバでは、前記伝熱手段は、送風機であり、刃を加熱するための送風機と、前記燃料電池の発電部における放熱用の送風機との機能を併せ持つことを特徴とする。
【００１８】
上記の構成によれば、送風機を共用することでコストを低減することができる。
【００１９】
好ましくは、本発明のシェーバでは、前記燃料電池は、エタノールを燃料とすることを特徴とする。
【００２０】
上記の構成によれば、メチルアルコールに比べてエチルアルコールを用いることで、毒性が低く、また入手も容易であるとともに、発熱量が多く、前記の乾燥や殺菌に好適である。
【発明の効果】
【００２１】
本発明のシェーバは、以上のように、電気カミソリやトリマーなどとして実現されるシェーバにおいて、そのシェーバの電源に燃料電池を用い、その発電による排熱を伝熱手段によって刃の近傍まで導き、その刃を加熱する熱源として使用する。
【００２２】
それゆえ、燃料電池駆動によって電源配線の制約が無くなり、保管場所の選択範囲を拡げることができるシェーバに、その燃料電池による排熱を刃近傍まで伝えることで、専用の洗浄装置などを用いることなく、水洗い後の乾燥を促進することができ、また刃の加熱殺菌を行うことができるとともに、燃料電池のエネルギー利用効率を高めることができる。
【００２３】
また、本発明のシェーバは、以上のように、二次電池などの電力貯蔵手段をさらに備え、その電力貯蔵手段からの電力で前記駆動手段を電力付勢させて前記除毛処理を行わせるようにし、その除毛処理の終了後に、制御手段が供給手段に前記燃料電池へ燃料を供給させ、発電された電力を前記電力貯蔵手段に貯蔵させる。
【００２４】
それゆえ、前記除毛処理の終了後に発電が行われ、すなわち熱が発生することになり、前記水洗い後の乾燥や刃の加熱殺菌に好適である。
【００２５】
さらにまた、本発明のシェーバは、以上のように、前記駆動手段によって駆動される刃を内刃とし、その内刃が、外刃、ケーシングおよび基台から成る空間に内包され、前記伝熱手段を前記基台に接続し、基台が熱せられることで前記空間内に熱気が篭り、その熱気で外刃および内刃の前記乾燥や殺菌を行う。
【００２６】
それゆえ、前記伝熱手段を汚れの溜る内刃や外刃、特に変位駆動される内刃に直接接続して加熱しなくても、これらの乾燥や殺菌を行うことができる。
【００２７】
また、本発明のシェーバは、以上のように、前記伝熱手段に送風機を用い、刃を加熱するための送風機と、前記燃料電池の発電部における放熱用の送風機との機能を兼用させる。
【００２８】
それゆえ、送風機を共用してコストを低減することができる。
【発明を実施するための最良の形態】
【００２９】
［実施の形態１］
図１および図２は、本発明の実施の一形態に係るシェーバ１の構造を説明するための図であり、図１は一部を切り欠いて示す正面図であり、図２は前後方向での断面図である。このシェーバ１では、スライドスイッチ２が操作されると、基板３に形成された電気回路が、二次電池４に蓄積された電力をモータ５に与え、内刃６を直線往復運動させることで、該内刃６と外刃７との間で除毛処理を行わせる。また、必要に応じて、本体８の裏面に設けられたトリマー９が操作されることで、このトリマー９にも駆動力が伝達され、除毛処理が可能となる。
【００３０】
注目すべきは、このシェーバ１では、駆動手段である前記モータ５の電力付勢に燃料電池１１で発生された電力を用いるとともに、その燃料電池１１による排熱を伝熱手段であるヒートパイプ１２によって前記内刃６の近傍に導き、その内刃６を加熱する熱源として使用することである。このため、前記本体８の底部８ａには、カートリッジタンク１３が着脱自在であり、そのカートリッジタンク１３が装着されると、蓄積されたエタノール１４が管路１５から、供給手段であるポンプ１６によって吸い上げられ、前記燃料電池１１に供給される。
【００３１】
前記燃料電池１１は、カソードおよびアノードによって電解膜が挟まれて構成されており、前記ポンプ１６によって吸い上げられた前記エタノール１４を空気中の酸素と反応させることで発電を行う。発電によって、前記カソード側では空気（酸素）が取込まれ、水が排出され、その水は布などの図示しない吸収手段に一旦吸収された後、空気中へ放散され、アノード側では、前記エタノール１４が取込まれ、二酸化炭素が排出される。発電された電力は、前記基板３に形成された電気回路に入力され、昇圧されて前記二次電池４に蓄積される。
【００３２】
図３および図４は、前記本体８の上部８ｂに搭載される刃取付け台２１付近の分解斜視図である。基台であるこの刃取付け台２１の下方には、ビス２２によって前記モータ５が取付けられる。前記モータ５からは、刃取付け台２１の中央に形成された孔２１ａを通して、前後一対で、左右に直線往復運動する駆動子２３が突出している。前記駆動子２３には、内刃押上げばね２４がばね止め部材２５によって取付けられており、この駆動子２３に着脱自在の前記内刃６が装着されると、前記内刃押上げばね２４によって、内刃６が外刃７に対して押付けられる。
【００３３】
前記駆動子２３の基端側は、大径の防水シール部２３ａとなっており、該駆動子２３が防水ゴム２６の内側Ｏリング部２６ａを挿通した後、この防水シール部２３ａが内側Ｏリング部２６ａの内周面に密着する。一方、前記ビス２２によってゴム抑え板２７が刃取付け台２１に取付けられることで、ゴム抑え板２７と刃取付け台２１との間に、前記防水ゴム２６が挟持される。そして、前記防水ゴム２６の外周縁部２６ｂに、前記孔２１ａの周縁部に形成された凸条２１ｂが嵌り込む。こうして、防水ゴム２６によって、モータ５などの本体８の内側の構成が、前記外刃７を外しての内刃６の洗浄に対して気密に保持されるようになっている。
【００３４】
ここで、本実施の形態では、前記刃取付け台２１の隅角部には、孔２１ｃが形成されており、この孔２１ｃを通して、前記ヒートパイプ１２の先端が前記ゴム抑え板２７に接触する。これによって、ゴム抑え板２７が熱せられ、外刃７および該ゴム抑え板２７から刃取付け台２１で囲まれた空間内に熱気が篭り、その熱気で外刃７および内刃６の乾燥や殺菌を行うことができる。こうして、前記ヒートパイプ１２を、汚れの溜る内刃６や外刃７、特に変位駆動される内刃６に直接接続して加熱しなくても、これらの乾燥や殺菌を行うことができる。
【００３５】
たとえば、本実施の形態では前記エタノール１４を燃料として用いるけれども、ダイレクトメタノール方式の場合で、１Ｗｈの電力を得るのに１ｃｃの燃料を必要とし、一般的なシェーバにおける３Ｗ６分程度の使用で、０．３ｃｃの燃料が必要になる。それだけの燃料を使用して発電を行った場合、たとえば外刃７で７０℃程度の温度となり、発電・乾燥中に使用者が剃り残しを剃り落とすために使用しても、瞬間熱く感じる程度で、外刃７は肌との接触で直ぐに冷えて、火傷にはならない。
【００３６】
図５は、上述のように構成されるシェーバ１において、前記基板３に搭載される電気回路の構成を示すブロック図である。燃料電池１１で発電された電力は、スイッチングレギュレータなどのＤＣ−ＤＣコンバータ３１によって昇圧されるとともに、安定化され、ダイオード３２を介して前記二次電池４に供給され、蓄電される。この二次電池４に蓄積された電力によって、マイクロコンピュータなどの制御回路３３が動作し、スライドスイッチ２の操作に応答して、ＦＥＴなどのスイッチ素子３４を制御し、前記モータ５を駆動する。
【００３７】
前記スライドスイッチ２の操作が無くなり、除毛処理を終了してから所定時間、たとえば５〜１０分が経過してから、前記制御回路３３は、ポンプ１６を駆動し、燃料電池１１に発電を行わせる。前記ポンプ１６の駆動は、専用の洗浄スイッチを設け、その洗浄スイッチの操作に応答して行うようにしてもよく、或いは洗浄のために外刃７が取外されたことを検知するようにしてもよい。またこのとき、ポンプ１６を間欠的に駆動するなどして前記刃６，７が加熱しないように制御されてもよく、また前記ゴム抑え板２７近傍に温度センサを設け、その検出結果に応じてポンプ１６の吐出量を制御して前記刃６，７が加熱しないように制御してもよい。
【００３８】
一方、前記本体８の底部８ａには、バックアップ用にＡＣ端子３５が設けられており、このＡＣ端子３５からの電力は、スイッチングレギュレータなどのＡＣ−ＤＣコンバータ３６によって降圧されるとともに、安定化され、ダイオード３６を介して前記二次電池４に供給され、蓄電される。したがって、二次電池４が放電してしまっても、また燃料切れなどでも、制御回路３３およびモータ５の動作が可能になるとともに、燃料を吸い上げて燃料電池１１での発電が可能になる。
【００３９】
このようにモータ５の電源に燃料電池１１を用いることで、電源配線の制約が無くなり、保管場所の選択範囲を拡げることができるシェーバを実現することができる。また、その燃料電池１１の発電による排熱をヒートパイプ１２によって内刃６の近傍まで導き、その内刃６を加熱する熱源として使用することで、専用の洗浄装置などを用いることなく、水洗い後の乾燥を促進することができ、また刃６，７の加熱殺菌を行うことができるとともに、燃料電池１１のエネルギー利用効率を高めることができる。
【００４０】
また、前記燃料電池１１によって発生された電力を貯蔵する二次電池４を設け、その二次電池４からの電力で前記モータ５を電力付勢させて前記除毛処理を行わせるようにし、その除毛処理の終了後に、制御回路３３がポンプ１６に前記燃料電池１１へ燃料を供給させ、発電された電力を二次電池４に貯蔵させるので、前記除毛処理の終了後に発電が行われ、すなわち熱が発生することになり、前記水洗い後の乾燥や刃の加熱殺菌に好適である。
【００４１】
さらにまた、伝熱手段としてヒートパイプ１２を用いることで、燃料電池１１での排熱を効率良く、刃６，７へ導くことができる。また、前記燃料電池１１がエタノールを燃料とすることで、メチルアルコールに比べてエチルアルコールは、毒性が低く、また入手も容易であるとともに、発熱量が多く、前記の乾燥や殺菌に好適である。
【００４２】
［実施の形態２］
図６および図７は、本発明の実施の他の形態に係るシェーバ４１の構造を説明するための図であり、図６は一部を切り欠いて示す正面図であり、図７は前後方向での断面図である。このシェーバ４１は、前述のシェーバ１に類似し、対応する部分には同一の参照符号を付して示し、その説明を省略する。注目すべきは、このシェーバ４１では、前記燃料電池１１での排熱をゴム抑え板２７に伝導する伝熱手段として、送風機４２が用いられ、さらにこの送風機４２が、刃６，７を加熱するための送風機と、前記燃料電池１１の発電部における放熱用の送風機との機能を併せ持つことである。
【００４３】
このため、本体４８の底部４８ａには吸気口４３が形成され、この吸気口４３から吸い込まれた空気は、参照符号Ｆ１で示すように燃料電池１１を冷却し、送風機４２を通過した後、参照符号Ｆ２，Ｆ３で示すように本体４８の上部４８ｂに形成された排気口４４，４５から排出されるとともに、分岐して、参照符号Ｆ４で示すようにゴム抑え板２７の裏面側を通過した後、前記刃取付け台２１の側部に形成された排気口４６から排出される。残余のポンプ１６や二次電池４などの構成は前記シェーバ１と同様であるが、基板３に搭載される制御回路は、モータ５の駆動および燃料電池１１の発電に併せて、適宜前記送風機４２を駆動する。
【００４４】
このように構成することで、送風機４２を共用してコストを低減することができる。
【００４５】
前記モータ５は、リニアモータに限らず、出力軸を回転駆動するモータに、その回転出力を前記直線往復運動に変換するリンク機構などを備えて構成されてもよく、また内刃６は、ロータリー刃であってもよい。
【図面の簡単な説明】
【００４６】
【図１】本発明の実施の一形態に係るシェーバの構造を説明するための一部を切り欠いて示す正面図である。
【図２】本発明の実施の一形態に係るシェーバの構造を説明するための前後方向での断面図である。
【図３】前記シェーバの本体の上部に搭載される刃取付け台付近の分解斜視図である。
【図４】前記シェーバの本体の上部に搭載される刃取付け台付近の分解斜視図である。
【図５】前記シェーバの電気回路の一構成例を示すブロック図である。
【図６】本発明の実施の他の形態に係るシェーバの構造を説明するための一部を切り欠いて示す正面図である。
【図７】本発明の実施の他の形態に係るシェーバの構造を説明するための前後方向での断面図である。
【符号の説明】
【００４７】
１，４１    シェーバ
２    スライドスイッチ
３    基板
４    二次電池
５    モータ
６    内刃
７    外刃
８，４８    本体
９    トリマー
１１    燃料電池
１２    ヒートパイプ
１３    カートリッジタンク
１４    エタノール
１６    ポンプ
２１    刃取付け台
２３    駆動子
２６    防水ゴム
２７    ゴム抑え板
３１    ＤＣ−ＤＣコンバータ
３３    制御回路
３４    スイッチ素子
３５    ＡＣ端子
４２    送風機
４３    吸気口
４４，４５，４６    排気口
【図１】
2008023024.tif 000003
【図２】
2008023024.tif 000004
【図３】
2008023024.tif 000005
【図４】
2008023024.tif 000006
【図５】
2008023024.tif 000007
【図６】
2008023024.tif 000008
【図７】
2008023024.tif 000009